(57)【要約】  【課題】メモリーカードをハーフロック状態で保持するハーフロック機構を備えたメモリーカード用コネクタにおいて、従来の性能をそのまま維持しつつ、メモリーカードのロック時にカードの抜けを防止するとともにメモリーカードの排出時にカードの飛び出しを防止する。  【解決手段】メモリーカードをハーフロック状態で保持するハーフロック機構を備えたメモリーカード用コネクタにおいて、メモリーカードをコネクタから引き抜く際に、前記ハーフロック機構に使用されるハーフロックバネとコネクタハウジングを被蔽するカバープレートとの間にメモリーカードが挟持されるように構成する。【選択図】図７
2006073210.tif 000002
【特許請求の範囲】
【請求項１】
メモリーカードをハーフロック状態で保持するハーフロック機構を備えたメモリーカード用コネクタにおいて、
メモリーカードをコネクタから引き抜く際に、前記ハーフロック機構に使用されるハーフロックバネとコネクタハウジングを被蔽するカバープレートとの間にメモリーカードが挟持されるように構成されたことを特徴とするメモリーカード用コネクタ。
【請求項２】
上記コネクタハウジングには、メモリーカードの抜き差し方向に対して平行にレール溝を設け、該レール溝上をスライドするスライダにハーフロックバネの一端部が係合し、該ハーフロックバネの他端部はメモリーカードの抜き差し方向に対して略垂直にメモリーカードに作用する請求項１記載のメモリーカード用コネクタ。
【請求項３】
上記ハーフロックバネの他端部はガード壁の開口部からメモリーカードの収納部側へ突出し、該ハーフロックバネのバネ圧は前記ガード壁により制御される請求項１または２記載のメモリーカード用コネクタ。
【請求項４】
上記スライダにはハーフロックバネの一端部を上記カバープレートに近い側で係合する穴を具備し、該ハーフロックバネがカバープレートから離反する方向へ撓んだ際の傾斜面を備えている請求項１，２または３記載のメモリーカード用コネクタ。
【発明の詳細な説明】
【技術分野】
【０００１】
本発明はメモリーカード用コネクタに関するものであり、特に、メモリーカードをハーフロック状態で保持するハーフロック機構を備えたメモリーカード用コネクタに関するものである。
【背景技術】
【０００２】
従来のメモリカード用コネクタとしては、例えば、特許文献１記載のコネクタが知られている。該コネクタは、ボディに前後進自在に取り付けられたスライダへメモリーカードを挿入すると、スライダに取り付けられたハーフロックバネの突起部がメモリーカードの側端面に設けられた凹入部に横方向から係合して、メモリーカードがハーフロック状態に軽く保持される。この状態で、メモリーカードを押すことによりスライダが戻しバネの付勢力に抗して前進位置まで移動し、このとき、ボディの側壁に取り付けられたピンがスライダの側部に設けられたカム溝の往路に沿って移動する。そして、該ピンがカム凸部に係止されてスライダが前進位置にロックされ、メモリーカードを読み書き可能な状態に位置決めするように構成されている。
【０００３】
前記コネクタにおいて、メモリーカードを取り出す場合は、該メモリーカードを更に押圧すると前記スライダが一旦前進して前記ピンがカム凸部からカム溝の往路端部に移動してロックが解除され、メモリカードの押圧を解除すれば戻しバネの付勢力によりスライダが後方へ押し戻され、前記ピンがカム溝の復路に沿って復路の端部まで移動して、スライダは後退位置まで後退する。このとき、前記ハーフロックバネの突起部がメモリーカードの凹入部に横方向から係合し、メモリーカードをハーフロックして飛び出さないようにしている。そして、スライダが後退位置に達した後に、メモリーカードを引張ると、前記ハーフロックバネの突起部がメモリーカードの側方へ押されて凹入部から離脱するので、メモリーカードがコネクタから引き抜かれる。
【０００４】
このように、前記コネクタは、所謂ハートカム機構等の利用により、プッシュイン・プッシュアウト方式にてメモリーカードのセット位置への挿入とセット位置からの排出を行うように形成されている。
【特許文献１】特開平１１−１３５１９２号公報
【発明の開示】
【発明が解決しようとする課題】
【０００５】
特許文献１記載の発明は、スライダの左右方向に位置する側面に沿ってハーフロックバネを配置してあり、その先端部に曲げ形成された突起部がメモリーカード側端面の凹入部に横方向から係合して、ハーフロック状態に保持するように形成されている。従って、スライダが前後移動するときにメモリーカードはハーフロック状態で保持されるが、メモリーカードの取り出し時に戻しバネの付勢力が強い場合はメモリーカードが飛び出してしまうという不具合があった。
【０００６】
メモリーカードの移動方向に対してハーフロックバネは横方向へ変形し、バネの変形を規制するものは何もないので、作動途中でのバネ力の調整は不可能な構成である。ハーフロックバネの押圧力をもっと強く設定すればメモリーカードの飛び出しを防止できるが、あまり強すぎるとメモリーカードの挿入と引き抜きに支障を来たす。また、メモリーカードの飛び出しを防止するために、スライダの戻しバネの付勢力を弱くすることも可能であるが、この付勢力を弱くしすぎるとメモリーカードを排出するために必要なストロークを確保できなくなる虞がある。
【０００７】
そこで、メモリーカードをハーフロック状態で保持するハーフロック機構を備えたメモリーカード用コネクタにおいて、従来の性能をそのまま維持しつつ、メモリーカードのロック時にカードの抜けを防止するとともにメモリーカードの排出時にカードの飛び出しを防止するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、メモリーカードをハーフロック状態で保持するハーフロック機構を備えたメモリーカード用コネクタにおいて、メモリーカードをコネクタから引き抜く際に、前記ハーフロック機構に使用されるハーフロックバネとコネクタハウジングを被蔽するカバープレートとの間にメモリーカードが挟持されるように構成されたメモリーカード用コネクタを提供する。
【０００９】
この構成によれば、メモリーカードはハーフロック機構によりハーフロック状態に保持されており、メモリーカードを引き抜いてハーフロックが解除された状態では、該ハーフロック機構に使用されるハーフロックバネがメモリーカードの表面または裏面の何れかの一面を押圧し、メモリーカードがコネクタハウジングを被蔽するカバープレート側へ押圧される。即ち、前記ハーフロックが解除された状態で、メモリーカードはハーフロックバネとカバープレートとの間に挟持され、カードの抜き差しに抵抗力を付加する。
【００１０】
請求項２記載の発明は、上記コネクタハウジングには、メモリーカードの抜き差し方向に対して平行にレール溝を設け、該レール溝上をスライドするスライダにハーフロックバネの一端部が係合し、該ハーフロックバネの他端部はメモリーカードの抜き差し方向に対して略垂直にメモリーカードに作用するメモリーカード用コネクタを提供する。
【００１１】
この構成によれば、ハーフロックバネの一端部はスライダに係合しており、該スライダがメモリーカードの抜き差し方向に対して平行に設けられたレール溝状を移動する際に、ハーフロックバネはスライダと一体に移動する。このとき、ハーフロックバネの他端部はメモリーカードの抜き差し方向に対して略垂直にメモリーカードに作用する。即ち、メモリーカードの表面または裏面の何れかの一面をハーフロックバネの他端部が押圧し、メモリーカードをハーフロック状態で保持する。
【００１２】
請求項３記載の発明は、上記ハーフロックバネの他端部はガード壁の開口部からメモリーカードの収納部側へ突出し、該ハーフロックバネのバネ圧は前記ガード壁により制御されるメモリーカード用コネクタを提供する。
【００１３】
この構成によれば、ハーフロックバネの他端部はガード壁の開口部から略垂直にメモリーカードの収納部側へ突出する。ハーフロックバネの他端部近傍部分は前記ガード壁に接触するのでバネ圧が制御される。
【００１４】
請求項４記載の発明は、上記スライダにはハーフロックバネの一端部を上記カバープレートに近い側で係合する穴を具備し、該ハーフロックバネがカバープレートから離反する方向へ撓んだ際の傾斜面を備えているメモリーカード用コネクタを提供する。
【００１５】
この構成によれば、ハーフロックバネの一端部がスライダのカバープレートに近い側の穴に係合しており、ハーフロックバネがカバープレートから離反する方向へ撓もうとしたときは、スライダの傾斜面が空間となってハーフロックバネの撓みを許容する。
【発明の効果】
【００１６】
請求項１記載の発明は、メモリーカードをコネクタから引き抜く際に、ハーフロック機構に使用されるハーフロックバネとコネクタハウジングを被蔽するカバープレートとの間にメモリーカードが挟持されるように構成したので、万一、メモリーカードが飛び出そうとしたときに、該メモリーカードがハーフロックバネとカバープレートとの間に挟持されて抵抗力が付加されるため、カードの飛び出しを抑止することができる。
【００１７】
請求項２記載の発明は、コネクタハウジングには、メモリーカードの抜き差し方向に対して平行にレール溝を設け、該レール溝上をスライドするスライダにハーフロックバネの一端部が係合し、該ハーフロックバネの他端部はメモリーカードの抜き差し方向に対して略垂直にメモリーカードに作用するように構成したので、ハーフロックバネの一端部はスライダと一体にメモリーカードの抜き差し方向へ移動し、ハーフロックバネの他端部はメモリーカードに対して略垂直に作用して、メモリーカードをハーフロック状態で保持する。万一、メモリーカードが飛び出そうとしたときに、ハーフロックバネの他端部がメモリーカードの表面または裏面の何れかの一面を押圧しているため、カードの飛び出しを抑止することができる。
【００１８】
請求項３記載の発明は、ハーフロックバネの他端部はガード壁の開口部からメモリーカードの収納部側へ突出し、該ハーフロックバネのバネ圧は前記ガード壁により制御されるように構成したので、ハーフロックバネの他端部近傍部分が前記ガード壁に接触することにより、ハーフロックバネのバネ圧を制御することができる。
【００１９】
請求項４記載の発明は、スライダにはハーフロックバネの一端部をカバープレートに近い側で係合する穴を具備し、該ハーフロックバネがカバープレートから離反する方向へ撓んだ際の傾斜面を備えるように構成したので、ハーフロックバネがカバープレートから離反する方向へ撓もうとしたときは、スライダの傾斜面が空間となってハーフロックバネの撓みを許容し、ハーフロックバネの他端部がメモリーカードをカバープレート側へ押圧して、カードの飛び出しを抑止することができる。
【発明を実施するための最良の形態】
【００２０】
以下、本発明に係るメモリーカード用コネクタについて、好適な実施例をあげて説明する。メモリーカードをハーフロック状態で保持するハーフロック機構を備えたメモリーカード用コネクタにおいて、従来の性能をそのまま維持しつつ、メモリーカードのロック時にカードの抜けを防止するとともにメモリーカードの排出時にカードの飛び出しを防止するという目的を、メモリーカードをコネクタから引き抜く際に、前記ハーフロック機構に使用されるハーフロックバネとコネクタハウジングを被蔽するカバープレートとの間にメモリーカードが挟持されるように構成したことにより実現した。
【実施例】
【００２１】
図１は本発明の実施の形態に係るメモリカード用コネクタ１０（以下、単に「コネクタ１０」とも称する）を示し、所定のメモリーカード２０（以下、単に「カード２０」とも称する）に対応している。このメモリーカード２０は、デジタルカメラや携帯電話等に使用される小型且つ薄型のカードであり、本実施例では「ｘＤピクチャーカード（登録商標）」を一例として説明する。尚、符号１１はカード挿入用開口部であり、１２は金属製のカバープレートである。また、メモリーカード２０の側端面に凹入部２１が設けられている。
【００２２】
図２に示すように、前記コネクタ１０は、カードの抜き差し方向に対して平行なレール溝（カム溝）１３を有する合成樹脂製のコネクタハウジング１４（以下、単に「ハウジング１４」とも称する）と、前記レール溝１３をスライドするスライダ１５と、該スライダ１５に取り付けられたハーフロックバネ１６と、スライダ１５を前記カード挿入用開口部１１の方向へ押圧付勢する戻しバネ１７と、メモリーカード２０の裏面に設けられた複数の電極（図示せず）と接触する複数の端子１８等の部材から構成され、これらの部材をハウジング１４内へ収納するために、該ハウジング１４はカバープレート１２にて被蔽されている（図１）。
【００２３】
図３に示すように、前記レール溝１３上を矢印方向へスライドするスライダ１５の前端部（同図で右斜め奥方向）には、カバープレート１２に近い側（上面側）に穴１５ａが設けられ、該穴１５ａにハーフロックバネ１６の一端部１６ａが係合している。また、該スライダ１５のメモリーカード２０に近い側（同図で右斜め手前側）は、カード挿入用開口部１１に向かって（同図で左斜め手前方向）一段低くなるように段設部１５ｂが設けられ、更に、該段設部１５ｂの上面はカード挿入用開口部１１に向かって高さが漸減するような傾斜面１５ｃを備えている。
【００２４】
前記ハーフロックバネ１６は、その一端部１６ａが下方へ屈曲されて前記スライダの穴１５ａに係合し、該ハーフロックバネの一端部１６ａからカード挿入用開口部１１に向かって平行に二分割されている。二分割されたうちのメモリーカード２０に近い側（内側部分）は、前記スライダの段設部１５ｂに沿って略直角にハウジング１４方向（下方向）へ屈曲部１６ｂが形成され、更に、この屈曲部１６ｂからカード挿入用開口部１１に向かって略水平に水平部１６ｃが延設され、該水平部１６ｃを経て、ハーフロックバネ１６の他端部近傍で、一旦ハウジング１４側（下方側）に略く字形に屈曲する屈曲部１６ｄが設けられ、続いてカバープレート１２側（上方側）に略く字形に屈曲する係合部１６ｅが形成されている。
【００２５】
一方、二分割されたうちの外側部分は、スライダ１５の上面に沿って水平部１６ｆが延設され、該水平部１６ｆを経て、先端が下方に傾斜した押さえ部１６ｇが形成されている。この押さえ部１６ｇは、スライダ１５に回動可能に組み込まれたガイドピン（図示せず）を前記ハウジング１４に設けられたレール溝（カム溝）１３へ押し付けるための板バネである。
【００２６】
尚、詳細な説明は省略するが、図２に示すハウジング１４に設けられているレール溝１３は、所謂ハートカム機構が設けられてスライダ１５の外側部分がスライドする外側レール溝と、スライダ１５の内側の段設部１５ｂ及びハーフロックバネ１６の屈曲部１６ｄがスライドする内側レール溝とが隣接して平行に設けられている。
【００２７】
ここで、図４に示すように、メモリーカード２０をコネクタ１０のカード挿入用開口部１１へ挿入して押し込めば、図５に示すように、スライダ１５に取り付けられたハーフロックバネ１６の係合部１６ｅがカバープレート１２側（上方側）へ突出しているので、該係合部１６ｅがメモリーカード２０に対して略垂直に作用し、カード側端面の凹入部２１へ進入して係合するため、メモリーカード２０がハーフロック状態に軽く保持される。
【００２８】
尚、ハーフロックバネ１６とメモリーカード２０との間にはガード壁１９が設けられており、ハーフロックバネ１６の係合部１６ｅがガード壁１９の開口部の下面から上方へ突出して、カード側端面の凹入部２１に係合する。ハーフロックバネ１６のバネ圧はガード壁１９により制御される。
【００２９】
この状態で、メモリーカード２０を前方へ押し込めば、スライダ１５がレール溝１３上を前方（図中上方）へスライドし、図６に示すように、レール溝１３に設けられているハートカム係止部１３ａにガイドピン（図示せず）が係合する。斯くして、メモリカード２０はハーフロック状態のままスライダ１５とともに前方位置に移動し、読み書き可能な状態にロックされる。
【００３０】
メモリーカード２０を取り出す場合は、該メモリーカード２０を更に前方へ押圧すると、前記スライダ１５が一旦前進してガイドピンがハートカム係止部１３ａから離脱してロックが解除され、該メモリカード２０の押圧を解除すれば、戻しバネ１７の付勢力によりスライダ１５が後方へ押し戻され、図５に示すように、スライダ１５が後退位置まで後退して、メモリカード２０が再びハーフロック状態に保持される。そして、メモリーカード２０を後方へ引張ると、前記ハーフロックバネ１６の係合部１６ｅがメモリーカード２０の凹入部２１から離脱して、メモリーカード２０がコネクタ１０から引き抜かれる。
【００３１】
ここで、スライダ１５の後退時は、メモリーカード２０がハーフロックバネ１６の係合部１６ｅによりその裏面が上方へ押圧されるので、前記カバープレート１２とハーフロックバネ１６との間にメモリーカード２０が挟持されながら移動する。従って、図７に示すように、メモリーカード２０の取り出し時にハーフロックバネ１６の係合が外れて、万一、メモリーカード２０が飛び出そうとした場合であっても、該メモリーカード２０がハーフロックバネ１６とカバープレート１２との間に挟持されて抵抗力が付加されるため、カードの飛び出しを抑止することができる。
【００３２】
また、前記スライダ１５には傾斜面１５ｃが設けられているため、ハーフロックバネ１６とスライダ１５との間に空間が生じて、ハーフロックバネ１６のハウジング１４側への撓みを許容し、ハーフロックバネ１６の係合部１６ｅがメモリーカード２０をカバープレート１２側へ押圧して、より一層、カードの飛び出しを抑止することができる。
【００３３】
尚、本実施例では「ｘＤ-ピクチャーカード（登録商標）」を一例として説明したが、「ＳＤ（登録商標）カード」や「ｍｉｎｉＳＤカード」等、他の規格に準拠したカードであっても、本発明のコネクタが対応できることはいうまでもない。
【００３４】
そして、本発明は、本発明の精神を逸脱しない限り種々の改変を為すことができ、そして、本発明が該改変されたものに及ぶことは当然である。
【図面の簡単な説明】
【００３５】
【図１】本発明に係るメモリーカード用コネクタとメモリーカードの平面図。
【図２】図１に示すコネクタの内部を示す平面図。
【図３】図１に示すコネクタの構成部材であるスライダの斜視図。
【図４】図１に示すコネクタにメモリーカードを挿入した状態を示し、（ａ）コネクタの内部を示す平面図、（ｂ）同図（ａ）のＡ−Ａ線断面図。
【図５】図４に示す状態からメモリーカードを押し込んだ状態を示し、（ａ）コネクタの内部を示す平面図、（ｂ）同図（ａ）のＢ−Ｂ線断面図。
【図６】図５に示す状態からメモリーカードをロック位置に押し込んだ状態を示し、（ａ）コネクタの内部を示す平面図、（ｂ）同図（ａ）のＣ−Ｃ線断面図。
【図７】図６に示す状態からメモリーカードが飛び出した状態を示し、（ａ）コネクタの内部を示す平面図、（ｂ）同図（ａ）のＤ−Ｄ線断面図。
【符号の説明】
【００３６】
１０  メモリーカード用コネクタ
１２  カバープレート
１３  レール溝（カム溝）
１３ａ  ハートカム係止部
１４  コネクタハウジング
１５  スライダ
１５ａ  穴
１５ｃ  傾斜面
１６  ハーフロックバネ
１６ｅ  係合部
１７  戻しバネ
１９  ガード壁
２０  メモリーカード
２１  凹入部
【図１】
2006073210.tif 000003
【図２】
2006073210.tif 000004
【図３】
2006073210.tif 000005
【図４】
2006073210.tif 000006
【図５】
2006073210.tif 000007
【図６】
2006073210.tif 000008
【図７】
2006073210.tif 000009